(57)【要約】      （修正有）【課題】店舗に訪れた客がゆったりと安心して飲食することができる店舗用飲食テーブルの構造を提供する。【解決手段】店側と客席側とを隔てる隔壁Ｗに沿って延設されたカウンター型テーブル本体１１を複数の間仕切り部材２０で仕切って個別の客用飲食スペースとしたテーブル構造１０であって、飲食スペースの奥部２２の隔壁には提供される飲食物の出し入れのための窓部３０が開閉部材３１とともに形成されており、客用飲食スペース上方には飲食客のための荷物置き台部４０が形成されているとともに、荷物置き台部の下面には飲食スペースを照射する照明部材が設置されている。【選択図】図１
0003210049.tif 000002
【実用新案登録請求の範囲】
【請求項１】
店側と客席側とを隔てる隔壁に沿って延設されたカウンター型テーブル本体を複数の間仕切り部材で仕切って個別の客用飲食スペースとしたテーブル構造であって、
前記飲食スペースの奥部の前記隔壁には提供される飲食物の出し入れのための窓部が開閉部材とともに形成されており、
前記客用飲食スペース上方には飲食客のための荷物置き台部が形成されているとともに、
前記荷物置き台部の下面には前記飲食スペースを照射する照明部材が設置されている
ことを特徴とする店舗用飲食テーブルの構造。
【請求項２】
前記窓部の開閉部材が上下方向に開閉するロールカーテンよりなる請求項１に記載の店舗用飲食テーブルの構造。
【請求項３】
前記間仕切り部材がテーブル本体の前端より後ろ側に配置されてテーブル本体の前端部が長手方向に連続している請求項１又は２に記載の店舗用飲食テーブルの構造。
【請求項４】
前記間仕切り部材がテーブル本体の下面側には設けられておらない請求項１ないし３のいずれか１項に記載の店舗用飲食テーブルの構造。
【請求項５】
前記荷物置き台部が前記間仕切り部材をテーブル本体上方まで延設した延設部に架け渡されて形成されている請求項１ないし４のいずれか１項に記載の店舗用飲食テーブルの構造。
【請求項６】
前記荷物置き台部と前記間仕切り部材延設部によって独立した個別の荷物スペースが形成されている請求項５に記載の店舗用飲食テーブルの構造。
【考案の詳細な説明】
【技術分野】
【０００１】
本考案は、飲食店の店舗に設置される飲食テーブルの構造に関する。
【背景技術】
【０００２】
レストランやラーメン店等の各種の飲食店において、客が飲食店を選ぶ際の基準としては提供される飲食物の品質の他、サービス内容や店舗の雰囲気等も挙げられ、これらのニーズに対応するため様々な工夫がなされている。例えば、ティッシュペーパーとゴミ箱の収容セットを具備した飲食用テーブルを設置することによって、テーブルスペースを確保しつつ清潔感を向上させる工夫がなされている（特許文献１等参照）。
【０００３】
特に、近年では飲食店の営業形態の多様化や客の価値観の多様化に伴い、複数人でなく一人で外食に出かける消費者の数が増えてきている。このような単独で店舗に訪れる客の増加により、飲食店はカウンターテーブルの席数を増やしたり、少人数のテーブルを用意するなどして顧客のニーズに対応している。
【０００４】
ところで、カウンターテーブルにおいては、荷物のある客は足元や荷物置きに荷物を置いたりすることになるが、荷物が邪魔になり飲食に集中できなかったり荷物の盗難に注意したりしなければならず、安心して飲食することができなかったりする問題があった。
【先行技術文献】
【特許文献】
【０００５】
【特許文献１】実用新案登録第３０９２２１７号公報
【考案の概要】
【考案が解決しようとする課題】
【０００６】
本考案は、前記の点に鑑みなされたものであって、店舗に訪れた客がゆったりと安心して飲食することができる店舗用飲食テーブルの構造を提供する。
【課題を解決するための手段】
【０００７】
すなわち、請求項１の考案は、店側と客席側とを隔てる隔壁に沿って延設されたカウンター型テーブル本体を複数の間仕切り部材で仕切って個別の客用飲食スペースとしたテーブル構造であって、前記飲食スペースの奥部の前記隔壁には提供される飲食物の出し入れのための窓部が開閉部材とともに形成されており、前記客用飲食スペース上方には飲食客のための荷物置き台部が形成されているとともに、前記荷物置き台部の下面には前記飲食スペースを照射する照明部材が設置されていることを特徴とする店舗用飲食テーブルの構造に係る。
【０００８】
請求項２の考案は、前記窓部の開閉部材が上下方向に開閉するロールカーテンよりなる請求項１に記載の店舗用飲食テーブルの構造に係る。
【０００９】
請求項３の考案は、前記間仕切り部材がテーブル本体の前端より後ろ側に配置されてテーブル本体の前端部が長手方向に連続している請求項１又は２に記載の店舗用飲食テーブルの構造に係る。
【００１０】
請求項４の考案は、前記間仕切り部材がテーブル本体の下面側には設けられておらない請求項１ないし３のいずれか１項に記載の店舗用飲食テーブルの構造に係る。
【００１１】
請求項５の考案は、前記荷物置き台部が前記間仕切り部材をテーブル本体上方まで延設した延設部に架け渡されて形成されている請求項１ないし４のいずれか１項に記載の店舗用飲食テーブルの構造に係る。
【００１２】
請求項６の考案は、前記荷物置き台部と前記間仕切り部材延設部によって独立した個別の荷物スペースが形成されている請求項５に記載の店舗用飲食テーブルの構造に係る。
【考案の効果】
【００１３】
請求項１の考案に係る店舗用飲食テーブルの構造によると、店側と客席側とを隔てる隔壁に沿って延設されたカウンター型テーブル本体を複数の間仕切り部材で仕切って個別の客用飲食スペースとしたテーブル構造であって、前記飲食スペースの奥部の前記隔壁には提供される飲食物の出し入れのための窓部が開閉部材とともに形成されており、前記客用飲食スペース上方には飲食客のための荷物置き台部が形成されているとともに、前記荷物置き台部の下面には前記飲食スペースを照射する照明部材が設置されているため、他人を気にせずに、ゆったりと安心して飲食できる。そして、荷物のある客にとって便利であり、安心である。さらに、飲食スペースの飲食物を個別に照らす美味しさの演出が可能となる。
【００１４】
請求項２の考案に係る店舗用飲食テーブルの構造によると、請求項１の考案において、前記窓部の開閉部材が上下方向に開閉するロールカーテンよりなるため、飲食物や食器等の出し入れ容易で素早く提供することができる。
【００１５】
請求項３の考案に係る店舗用飲食テーブルの構造によると、請求項１又は２の考案において、前記間仕切り部材がテーブル本体の前端より後ろ側に配置されてテーブル本体の前端部が長手方向に連続していることから、間仕切り部材があってもテーブルが広く感じられ、客に開放感を与えることができる。
【００１６】
請求項４の考案に係る店舗用飲食テーブルの構造によると、請求項１ないし３の考案において、前記間仕切り部材がテーブル本体の下面側には設けられておらないため、足元が広く感じられ、客にゆったり感や開放感を与えることができる。
【００１７】
請求項５の考案に係る店舗用飲食テーブルの構造によると、請求項１ないし３の考案において、前記荷物置き台部が前記間仕切り部材をテーブル本体上方まで延設した延設部に架け渡されて形成されているため、荷物置き台部を容易かつ確実に設置することができる。
【００１８】
請求項６の考案に係る店舗用飲食テーブルの構造によると、請求項５の考案において、前記荷物置き台部と前記間仕切り部材延設部によって独立した個別の荷物スペースが形成されていることから、書類や衣類なども置きやすくなり、かつ荷物の取り違えが防止され、安心、安全である。また、客が見やすい位置に荷物が置かれるため、忘れ物の防止にもなる。
【図面の簡単な説明】
【００１９】
【図１】本考案の実施形態に係る店舗用飲食テーブルを示す斜視図である。
【図２】図１の店舗用飲食テーブルの拡大斜視図である。
【図３】図１の店舗用飲食テーブルの正面図である。
【図４】図１の店舗用飲食テーブルの上面図である。
【考案を実施するための形態】
【００２０】
本考案の店舗用飲食テーブル１０は、請求項１に記載されるように、店側と客席側とを隔てる隔壁Ｗに沿って延設されたカウンター型テーブル本体１１を複数の間仕切り部材２０で仕切って個別の客用飲食スペースＳとしたテーブル構造であって、飲食スペースＳの奥部２２の隔壁Ｗには提供される飲食物の出し入れのための窓部３０が開閉部材３１とともに形成されており、客用飲食スペースＳ上方には飲食客のための荷物置き台部４０が形成されているとともに、荷物置き台部４０の下面４１には飲食スペースを照射する照明部材５０が設置されている。
【００２１】
通常、カウンター型のテーブルが設置されている店舗では、カウンターテーブルを挟んで、一方が厨房等の店側であって他方に客席が配置される。本考案の店舗用飲食テーブル１０の構造においては、図１ないし図４に示されるように、店側と客席側とを隔てる隔壁Ｗに沿ってテーブル本体１１が配置され、テーブル本体１１は複数の間仕切り部材２０で仕切られて個別の客用飲食スペースＳとされている。間仕切り部材２０は、テーブル本体１１の長手方向Ｌと直角に連続して並列配置されていて、テーブル本体１１は隔壁Ｗと間仕切り部材２０によって、テーブル本体１１に沿って並べられた座席Ｃの前の一定のスペースを個別の客用飲食スペースＳとして仕切られている。
【００２２】
図１ないし図４に示されるように、間仕切り部材２０は板状物２５よりなる。図示した実施例では長方形状であるが、丸みのある形状であったり客側の辺が斜めの辺で構成された四角形状等、個別の客用飲食スペースＳを仕切ることができれば適宜でよい。図示しないが、間仕切り部材２０にメニューを貼り付けたりすることで、飲食スペースＳを広くすることができる。
【００２３】
そして、間仕切り部材２０の客側の端部２３は、請求項３に記載され、図１ないし図３に示されるように、テーブル本体１１の前端１２よりも後ろ側に配置されるのがよい。こうすると、テーブル本体１１の前端部１２が長手方向Ｌに連続することとなり、飲食客は個別の飲食スペースＳで飲食しつつもテーブルが広く感じられ、開放的に感じられる。飲食中に客の肘等が間仕切り部材２０に当接したりすることが防がれ、ゆったりと飲食することができる。
【００２４】
さらに、間仕切り部材２０はテーブル上に載置されて形成され、請求項４に記載され、図１ないし図３に示されるように、テーブル本体１１の下面側１３に設けられない形状とされる。これによって、客の足が左右の壁等に当たらないため、足元が広く感じられる。間仕切り部材２０により個別の飲食スペースに仕切られていてもゆったりと印象を与え、安心して飲食することができる。
【００２５】
図１ないし図３に示されるように、飲食スペースＳの奥部２２の隔壁Ｗには提供される飲食物の出し入れのための窓部３０が開閉部材３１と共に形成されている。隔壁Ｗには、店側と客席側を繋ぐ窓部３０が形成されていて、隔壁Ｗの奥の厨房等から飲食物が窓部３０を通じて客に提供される。提供時には、開閉部材３１が開けた状態で飲食物が運ばれ、飲食物を出し終えたら開閉部材３１を閉じる。開閉部材３１は、隔壁Ｗの店側に取り付けられるのが良い。店側の従業員等が開閉しやすくするためである。
【００２６】
開閉部材３１を閉じることにより間仕切り部材２０と相まって飲食スペースが客個人の空間となり、他人を気にすることなくゆったりと安心して飲食することができる。特に、請求項２に記載されるように、開閉部材２０は上下方向に開閉するロールカーテン３２とするのが良い。出し入れが容易で素早く飲食物を提供することができるからである。また、ロールカーテン３２は引き戸や回転扉よりも省スペースであるため使い勝手もよい。
【００２７】
図１ないし図３に示されるように、客用飲食スペースＳの上方には飲食客のための荷物置き台部４０が形成されている。飲食中の客の頭上に荷物が置かれるため、盗難等が防止され、安心して飲食が可能である。また、荷物を置きやすく便利である。荷物置き台部４０は、板状物４５からなる。棒状部材を並べて形成してもよいが、荷物の落下防止の観点から板状物で形成される方が望ましい。
【００２８】
そして、荷物置き台部４０の下面４１には飲食スペースＳを照射する照明部材５０が設置されている。飲食スペースの飲食物を個別に照らすことができるため、手暗がりにならず、提供された飲食物の美味しさの演出が可能となる。照明部材５０により、荷物置き台部４０を板状物４５としても客の手元を明るく照らすことができ、安心して飲食することができる。例えば、照明部材５０は、白熱灯等が採用され、白熱灯は食べ物を美味しく見せる効果があるといわれ適当である。実施例では、図１ないし図３に図示されるように、直管形状の照明部材５０が設置されているが、電球型等形状は適宜決定される。
【００２９】
荷物置き台部４０は、請求項５に記載されるように、間仕切り部材２０をテーブル本体１１上方まで延設した延設部２１に架け渡されて形成されている。荷物置き台部４０を容易かつ確実に設置することができる。さらに、請求項６に記載されるように、荷物置き台部４０と間仕切り部材２０の延設部２１によって独立した個別の荷物スペースＩｓが形成されるため、書類や衣類なども置きやすく、荷物の取り違いも防止され安全であり、客は安心して飲食が可能である。また、客の見やすい位置に荷物が置かれるため、忘れ物の防止にもなる。
【００３０】
さらに、荷物置き台部４０の客側端部４２に荷物の滑落防止のためのストッパー部６０を形成してもよい。ストッパー部６０の側面６１に席番号等を表示する表示部６２を形成することで、客を案内しやすくなる。また、図示しないが、荷物置き台部４０の客側端部４２の下部やストッパー部材５０の下部に緩衝部材６３を取り付けることで、不意に頭を衝突させても安全である。
【符号の説明】
【００３１】
１０  店舗用飲食テーブル
１１  テーブル本体
２０  間仕切り部材
２２  奥部
３０  窓部
３１  開閉部材
３２  ロールカーテン
４０  荷物置き台部
４１  下面
５０  照明部材
６０  ストッパー部
Ｉｓ  荷物スペース
Ｓ  飲食スペース
Ｗ  隔壁
【図１】
0003210049.tif 000003
【図２】
0003210049.tif 000004
【図３】
0003210049.tif 000005
【図４】
0003210049.tif 000006